(57)【要約】【課題】合成樹脂製の内側容器と、金属製の縦桟と横桟とを備えた外側ケースと、内側容器と外側ケースとの間に配置された支持用嵌め込み体とからなる、液体の輸送および貯蔵用容器の重量を軽減する。【解決手段】支持用嵌め込み体（１９）の壁要素（１９ａ〜１９ｄ）を、六角形、円形、蜂の巣形、台形、菱形、正方形および矩形の互いに境を接する多数の構造要素を備えた構造体で形成する。壁要素（１９ａ〜１９ｄ）は、主として金属薄板材料で形成される。【選択図】　　　　　図１
2004001890.tif 000002
【特許請求の範囲】
【請求項１】
４個の側壁と、底板および天板と、該天板に形成された閉鎖可能な液体注入口と、側壁の一つの下方部に形成された、液体排出用部品を備えた液体排出口とを有する合成樹脂製の交換可能な内側容器を支持するための、導電性材料からなるパレット状の下部フレームと、金属性の縦桟および横桟で構成された格子状外側ケースと、導電性材料で形成された４個の側壁を備えて前記内側容器と前記外側ケースとの間に配置された一体または数個に部材からなる支持用嵌め込み体とを有する液体の輸送および貯蔵用容器において、
前記支持用嵌め込み体（１９）の壁要素（１９ａ〜１９ｄ）の少なくとも一つが、六角形、円形、蜂の巣形、台形、菱形、正方形および矩形の互いに境を接する多数の構造要素（２０）を備えた構造体からなることを特徴とする、液体の輸送および貯蔵用容器
【請求項２】
前記支持用嵌め込み体（１９）の壁要素（１９ａ〜１９ｄ）が、交互に外方および内方へ張り出した断面部（２１，２２）を有する台形断面要素として構成されており、
前記壁要素（１９ａ〜１９ｄ）の外方へ張り出した断面部（２１）が、前記外側ケース（９）の縦桟（１０）の、内方へ突き出ている一つの桟部分（２４）を間に備えた、前記外側ケース（９）の横桟（１１）に沿った隙間２３に嵌まり込み、
前記壁要素１９ａ〜１９ｄの内方へ張り出した断面部（２２）が、前記縦桟（１０）の、内方へ突き出ている桟部分（２４）を収容しており、かつ
前記支持用嵌め込み体（１９）の壁要素（１９ａ〜１９ｄ）に隣接する、対応する凹凸（２５）を備えた前記内側容器（２）の側壁（２ａ〜２ｄ）が、該内側容器（２）の満杯状態で、前記支持用嵌め込み体（１９）の壁要素（１９ａ〜１９ｄ）の外方へ張り出した断面部（２１）に介入していることを特徴とする請求項１記載の容器。
【請求項３】
前記支持用嵌め込み体（１９）が４個の壁要素（１９ａ〜１９ｄ）を備えていることを特徴とする請求項１または２記載の容器。
【請求項４】
前記支持用嵌め込み体（１９）の壁要素（１９ａ〜１９ｄ）が台形の断面形状を有することを特徴とする請求項１から３のいずれかに記載の容器。
【請求項５】
前記支持用嵌め込み体（１９）の壁要素（１９ａ〜１９ｄ）が箱型断面形状に構成されていることを特徴とする請求項１から３のいずれかに記載の容器。
【請求項６】
前記支持用嵌め込み体（１９）の壁要素（１９ａ〜１９ｄ）が金属薄板材料で形成されていることを特徴とする請求項１から５のいずれかに記載の容器。
【請求項７】
前記支持用嵌め込み体（１９）の壁要素（１９ａ〜１９ｄ）が、導電性カーボンを混入したポリエチレンのような導電性合成樹脂からなる板材料で形成されていることを特徴とする請求項１から５のいずれかに記載の容器。
【発明の詳細な説明】
【０００１】
【発明の属する技術分野】
本発明は、液体の輸送および貯蔵用容器に関するもので、この容器は、４個の側壁と、底板および天板と、この天板に形成された閉鎖可能な液体注入口と、側壁の一つの下方部に形成された、液体取排出用部品を備えた液体排出口とを有する合成樹脂製の交換可能な内側容器を支持するための、導電性材料からなるパレット状の下部フレームと、金属性の縦桟および横桟で構成された格子状の外側ケースと、導電性材料で形成された４個の側壁を備えて内側容器と外側ケースとの間に配置された一体または数個の部材からなる支持用嵌め込み体とを有する液体の輸送および貯蔵用容器に関するものである。
【０００２】
【従来の技術】
特許文献１に記載されたような公知の輸送および貯蔵用容器の欠点は、内側容器と外側ケースとの間に配置された支持用嵌め込み体のために、容器の自重が増すことである。
【０００３】
【特許文献１】
ドイツ国特許第１９７２０９３１Ｃ２明細書
【０００４】
【発明が解決しようとする課題】
本発明は、上述のような輸送および貯蔵用容器の重量軽減に適した構造を提供することを目的とするものである。
【０００５】
【課題を解決するための手段および発明の効果】
上記目的は、請求項１に記載された特徴を備えた、本発明による液体の輸送および貯蔵用容器によって達成される。
【０００６】
従属請求項は本発明の展開に役立つ内容を含むものである。
【０００７】
本発明による液体容器は、以下に述べる優れた利点を有する。
【０００８】
六角形、円形、蜂の巣形、台形、菱形、正方形および矩形の互いに境を接する多数の構造要素を備えた主として金属薄板材料で形成された支持用嵌め込み体の壁要素の構造によって支持用嵌め込み体の安定性が高められるので、支持用嵌め込み体の壁要素の金属薄板の厚さを、したがって容器の自重を軽減することができる。また、このような支持用嵌め込み体の壁要素の構造によって、内側容器への直射日光の差し込みが防止される。さらに、支持用嵌め込み体の壁要素の構造によって、合成樹脂製の内側容器の剛性が高められ、同時に外側ケースの格子の桟を減らし、かつ格子の桟の必要な十字状突合せ溶接の箇所を少なくすることができるので、輸送および貯蔵用容器の製造コストが低減される。容器に対する液体の注入・排出時に場合によって発生する静電気は、支持用嵌め込み体、外側ケースおよび同じく導電性材料で形成されたパレット状の下部フレームを通じて地面に逃される。このように、合成樹脂製内側容器の電気的接地がなされていることにより、３５℃よりも低い引火点を持った塗料、ラッカー、および溶剤のような引火性液体の安全な容器としてこの輸送および貯蔵用容器を使用することを可能にし、かつガス、蒸気等による爆発性雰囲気の作業現場における容器の使用を可能にする。さらに、支持用嵌め込み体により、合成樹脂製内側容器の紫外線に対する効果的な防護が保証される。最後に、対応する側壁を備えた合成樹脂製内側容器の外側の格子状ケースの内側に存在する金属薄板からなる壁要素を備えた支持用嵌め込み体の一体構造と、支持用嵌め込み体の壁要素における効果のある凹凸構造により、容器の基準容量を維持しながら輸送および貯蔵用容器の満杯容量を増大させることができる。
【０００９】
【好ましい実施の形態】
使い捨て容器または何回も使用できる容器として使用される、図１および図２に示された液体の輸送および貯蔵用容器１は、４個の側壁２ａ〜２ｄと、液体取出壁として構成された底板３と、ねじ蓋６によって閉鎖される液体注入口５を備えた天板４とによって構成された、合成樹脂製の、特にポリエチレン製の直方体からなる交換可能な内側容器２を主構造部としており、さらに、前壁２ａの下方部に形成された液体取出用部品８を備えた液体排出口７と、互いに交差する金属性の縦桟１０および横桟１１によって格子状に形成された外側ケース９と、内側容器２の注入口５に同心の開口１３を備えて外側ケース９に取り外し可能に固定された金属性の保護カバー１２と、合成樹脂製の内側容器２を収容するための金属薄板製の底桶１５を備えたパレット状の下部フレーム１４とを有する。
【００１０】
底桶１５は、地面との間に所定のクリアランスを介在させた状態でコーナー脚１６および中間脚１７ならびに脚枠１８上に支持されており、これにより、この輸送および貯蔵用容器１の輸送時には、例えばフォークリフトのような輸送装置のアームを四方から底桶１５の下に通すことができる。コーナー脚１６および中間脚１７ならびに脚枠１８は、金属または例えばポリエチレンに導電性カーボンを混入した導電性合成樹脂で作成されている。輸送および貯蔵用容器１のパレット状の下部フレーム１４は、ヨーロッパ規格の長さ寸法および幅寸法を有する。
【００１１】
輸送用容器１の合成樹脂製内側容器２と外側ケース９との間には、金属薄板で形成された４個の壁要素１９ａ〜１９ｄを備えた支持用嵌め込み体１９が配置され、これら壁要素１９ａ〜１９ｄは、互いに境を接する多数の六角形の構造要素２０を備えた構造体によって構成されている。
【００１２】
支持用嵌め込み体１９の壁要素１９ａ〜１９ｄの構成要素２０は、上述の形状以外に、円形、蜂の巣形、台形、菱形、正方形、および長方形ものにすることができる。
【００１３】
支持用嵌め込み体１９の壁要素１９ａ〜１９ｄは、交互に外方および内方へ張り出した断面部２１，２２を有する台形断面要素として構成されており、その際に、壁要素１９ａ〜１９ｄの外方へ張り出した断面部２１は、外側ケース９の縦桟１０の、内方へ突き出ている桟部分２４を間に備えた、外側ケース９の横桟１１に沿った隙間２３に嵌まり込み、壁要素１９ａ〜１９ｄの内方へ張り出した断面部２２は、上記縦桟１０の、内方へ突き出ている桟部分２４を収容しており、かつ内側容器２の満杯状態で、支持用嵌め込み体１９の壁要素１９ａ〜１９ｄに隣接する、対応する凹凸２５を備えた内側容器２の側壁２ａ〜２ｄが、支持用嵌め込み体１９の壁要素１９ａ〜１９ｄの外方へ張り出した断面部２１に介入している。
【００１４】
内側容器２の側壁２ａ〜２ｄに形成された凹凸２５により、内側容器２の容量が減少するが、内側容器２の底板３が液体取出部となっているので、容量の減少を埋め合わせることができる。
【００１５】
上述した輸送および貯蔵用容器１の構造は、上記支持用嵌め込み体９の壁要素１９ａ〜１９ｄを箱状断面を有するものに変更することができる。さらに、上記支持用嵌め込み体９の壁要素１９ａ〜１９ｄを、例えば導電性カーボンを混入したポリエチレンのような導電性合成樹脂で形成された板材で形成することもできる。
【図面の簡単な説明】
【図１】本発明による液体の輸送および貯蔵用容器の斜視図
【図２】図１のＩＩ−ＩＩ線に沿った拡大横断面図
【図３】図１の区画ＩＩＩにおける容器の支持用嵌め込み体の壁構成要素の六角形構造を示す拡大図
【符号の説明】
１　　輸送および貯蔵用容器
２　　内側容器
３　　底板
４　　天板
９　　外側ケース
１０　　縦桟
１１　　横桟
１９　　支持用嵌め込み体
【図１】
2004001890.tif 000003
【図２】
2004001890.tif 000004
【図３】
2004001890.tif 000005